(57)【要約】【課題】  複数の工程から構成される作業において、各工程の作業者が、効率的に作業を行うことができる進捗管理方法及び進捗管理プログラムを提供する。【解決手段】  管理コンピュータ２１は、工事識別子、工務店識別子、作業者識別子、工程識別子、前工程に関するデータを含む作業計画データを作業計画データ記憶部２２に記録する。そして、作業管理端末識別子、作業者識別子、工程識別子に関するデータを含む作業実績通知を受信する。そして、作業計画データの前工程に関するデータに基づく工程の順番と、作業実績通知の工程識別子とに基づいて、その工事現場における次工程を特定し、その次工程に予定されている作業者に作業指示を通知する。【選択図】      図１
2005267523.tif 000002
【特許請求の範囲】
【請求項１】
作業管理端末と、前記作業管理端末とネットワークを介して接続された管理コンピュータと、作業計画データ記憶手段とを用いて、工程の進捗を管理する方法であって、
前記管理コンピュータが、
作業拠点、作業者、工程及び工程の順番に関するデータを含む作業計画データを前記作業計画データ記憶手段に記録する第１の段階と、
作業拠点、作業者、工程に関するデータを含む作業実績通知を受信して記録する第２の段階と、
前記作業実績通知を前記作業計画データと照合し、前記工程の順番に基づいて次工程を特定する第３の段階と、
前記次工程に予定されている作業者を特定し、その作業者の作業者端末に作業指示を通知する第４の段階と
を備えたことを特徴とする進捗管理方法。
【請求項２】
前記作業管理端末は、作業現場に設置する端末であって、作業者が有する作業者情報記録媒体からのデータの読み取り手段を備え、
前記作業者情報記録媒体は、作業者を特定する作業者識別子及び前記作業者の対応可能工程に関するデータを記録し、
前記作業管理端末が、
前記作業者情報記録媒体から前記作業者識別子と前記対応可能工程に関するデータとを読み取る段階と、
前記作業者識別子と、前記対応可能工程に基づいて決定された工程に関するデータと、前記作業管理端末を特定する作業管理端末識別子とを含む作業実績通知を前記管理コンピュータに送信する段階と、
前記管理コンピュータが、
前記作業実績通知に含まれる作業管理端末識別子に基づいて作業拠点を特定する段階とをさらに備えたことを特徴とする請求項１に記載の進捗管理方法。
【請求項３】
前記作業計画データは、作業者が所属するグループに関するデータを含み、
前記第４の段階は、
前記特定された次工程の作業者が所属するグループで使用されるグループ端末に作業指示を通知することを特徴とする請求項１又は２に記載の進捗管理方法。
【請求項４】
前記作業実績通知は、工程終了の通知に関するデータを含み、
前記第４の段階は、
前工程が終了した場合に、次工程の作業者に作業指示を通知することを特徴とする請求項１〜３のいずれか１つに記載の進捗管理方法。
【請求項５】
前記作業実績通知は、工程の進捗状況に関するデータを含み、
前記第４の段階は、
前工程の進捗状況に基づいて、次工程の作業者への作業指示の通知を決定する通知決定段階と、
前記作業指示の通知決定に基づき、次工程の作業者の作業者端末に作業指示を通知する通知段階と
を備えたことを特徴とする請求項１〜４のいずれか１つに記載の進捗管理方法。
【請求項６】
前記作業計画データは、各工程に要する期間に関するデータを含み、
前記通知決定段階は、
各工程に要する期間と、工程の順番とに基づいて、次工程の作業開始までの期間を算出
し、前記算出した作業開始までの期間が、事前通知対象となる所定期間以内の場合、その次工程の作業者への作業指示を通知することを特徴とする請求項５に記載の進捗管理方法。
【請求項７】
作業管理端末と、前記作業管理端末とネットワークを介して接続された管理コンピュータと、作業計画データ記憶手段とを用いて、工程の進捗を管理するための進捗管理プログラムであって、
前記管理コンピュータを、
作業拠点、作業者、工程及び工程の順番に関するデータを含む作業計画データを前記作業計画データ記憶手段に記録する第１の手段と、
作業拠点、作業者、工程に関するデータを含む作業実績通知を受信して記録する第２の手段と、
前記作業実績通知を前記作業計画データと照合し、前記工程の順番に基づいて次工程を特定する第３の手段と、
前記次工程に予定されている作業者を特定し、その作業者の作業者端末に作業指示を通知する第４の手段
として機能させるための進捗管理プログラム。
【請求項８】
前記作業管理端末は、作業現場に設置する端末であって、作業者が有する作業者情報記録媒体からのデータの読み取り手段を備え、
前記作業者情報記録媒体は、作業者を特定する作業者識別子及び前記作業者の対応可能工程に関するデータを記録し、
前記第２の手段を、
前記作業者情報記録媒体から読み取った作業者識別子と、前記作業者情報記録媒体から読み取った対応可能工程に基づいて決定された工程に関するデータと、前記作業管理端末を特定する作業管理端末識別子とを含む作業実績通知を前記作業管理端末からを受信して記録する手段として機能させ、
さらに、前記管理コンピュータを、
前記作業実績通知に含まれる作業管理端末識別子に基づいて作業拠点を特定する手段として機能させることを特徴とする請求項７に記載の進捗管理プログラム。
【請求項９】
前記作業計画データは、作業者が所属するグループに関するデータを含み、
前記第４の手段を、
前記特定された次工程の作業者が所属するグループで使用されるグループ端末に作業指示を通知する手段として機能させることを特徴とする請求項７又は８に記載の進捗管理プログラム。
【請求項１０】
前記作業実績通知は、工程終了の通知に関するデータを含み、
前記第４の手段を、
前工程が終了した場合に、次工程の作業者に作業指示を通知する手段として機能させることを特徴とする請求項７〜９のいずれか１つに記載の進捗管理プログラム。
【請求項１１】
前記作業実績通知は、工程の進捗状況に関するデータを含み、
前記第４の手段を、
前工程の進捗状況に基づいて、次工程の作業者への作業指示の通知を決定する通知決定手段と、
前記作業指示の通知決定に基づき、次工程の作業者の作業者端末に作業指示を通知する通知手段
として機能させることを特徴とする請求項７〜１０のいずれか１つに記載の進捗管理プログラム。
【請求項１２】
前記作業計画データは、各工程に要する期間に関するデータを含み、
前記通知決定手段を、
各工程に要する期間と、工程の順番とに基づいて、次工程の作業開始までの期間を算出し、前記算出した作業開始までの期間が、事前通知対象となる所定期間以内の場合、その次工程の作業者への作業指示を通知する手段として機能させることを特徴とする請求項１１に記載の進捗管理プログラム。
【発明の詳細な説明】
【技術分野】
【０００１】
本発明は、複数の工程から構成される作業の進捗を管理する進捗管理方法及び進捗管理プログラムに関する。
【背景技術】
【０００２】
ビル等の大きな工事現場では、工事現場が隔離され入退場が管理される場合が多い。そして、ＩＣカード等を用いた入退場者の認証により、作業者の出勤、退勤の時間を記録し、実質的な作業時間が把握されている。一方、個人住宅の建設等の小規模な工事現場についても、作業者の作業現場と作業時間とを効率的に管理するためのシステムが開示されている（例えば、特許文献１参照。）。このような小規模な工事現場では、各工程を受け持つ複数の作業者が、担当する工程になると、その工事現場に来て作業を行う。
【特許文献１】特開２００３−３０３２６６号公報（第５−９頁）
【発明の開示】
【発明が解決しようとする課題】
【０００３】
しかし、各作業者は、前工程が終了していないと自分の工程の作業を行うことができないため、工事現場に来ても、前工程が終了していないために、作業を行えない場合もある。このため、実際に作業を行う前に、進捗状況を調べるために下見に行く必要が生じ、作業効率を下げる原因となっている。
【０００４】
本発明は、上記問題点を解決するためになされたものであり、その目的は、複数の工程から構成される作業において、各工程の作業者が、効率的に作業を行うことができる進捗管理方法及び進捗管理プログラムを提供することにある。
【課題を解決するための手段】
【０００５】
上記問題点を解決するために、請求項１に記載の発明は、作業管理端末と、前記作業管理端末とネットワークを介して接続された管理コンピュータと、作業計画データ記憶手段とを用いて、工程の進捗を管理する方法であって、前記管理コンピュータが、作業拠点、作業者、工程及び工程の順番に関するデータを含む作業計画データを前記作業計画データ記憶手段に記録する第１の段階と、作業拠点、作業者、工程に関するデータを含む作業実績通知を受信して記録する第２の段階と、前記作業実績通知を前記作業計画データと照合し、前記工程の順番に基づいて次工程を特定する第３の段階と、前記次工程に予定されている作業者を特定し、その作業者の作業者端末に作業指示を通知する第４の段階とを備えたことを要旨とする。
【０００６】
請求項２に記載の発明は、請求項１に記載の進捗管理方法において、前記作業管理端末は、作業現場に設置する端末であって、作業者が有する作業者情報記録媒体からのデータの読み取り手段を備え、前記作業者情報記録媒体は、作業者を特定する作業者識別子及び前記作業者の対応可能工程に関するデータを記録し、前記作業管理端末が、前記作業者情報記録媒体から前記作業者識別子と前記対応可能工程に関するデータとを読み取る段階と、前記作業者識別子と、前記対応可能工程に基づいて決定された工程に関するデータと、前記作業管理端末を特定する作業管理端末識別子とを含む作業実績通知を前記管理コンピュータに送信する段階と、前記管理コンピュータが、前記作業実績通知に含まれる作業管理端末識別子に基づいて作業拠点を特定する段階とをさらに備えたことを要旨とする。
【０００７】
請求項３に記載の発明は、請求項１又は２に記載の進捗管理方法において、前記作業計画データは、作業者が所属するグループに関するデータを含み、前記第４の段階は、前記
特定された次工程の作業者が所属するグループで使用されるグループ端末に作業指示を通知することを要旨とする。
【０００８】
請求項４に記載の発明は、請求項１〜３のいずれか１つに記載の進捗管理方法において、前記作業実績通知は、工程終了の通知に関するデータを含み、前記第４の段階は、前工程が終了した場合に、次工程の作業者に作業指示を通知することを要旨とする。
【０００９】
請求項５に記載の発明は、請求項１〜４のいずれか１つに記載の進捗管理方法において、前記作業実績通知は、工程の進捗状況に関するデータを含み、前記第４の段階は、前工程の進捗状況に基づいて、次工程の作業者への作業指示の通知を決定する通知決定段階と、前記作業指示の通知決定に基づき、次工程の作業者の作業者端末に作業指示を通知する通知段階とを備えたことを要旨とする。
【００１０】
請求項６に記載の発明は、請求項５に記載の進捗管理方法において、前記作業計画データは、各工程に要する期間に関するデータを含み、前記通知決定段階は、各工程に要する期間と、工程の順番とに基づいて、次工程の作業開始までの期間を算出し、前記算出した作業開始までの期間が、事前通知対象となる所定期間以内の場合、その次工程の作業者への作業指示を通知することを要旨とする。
【００１１】
請求項７に記載の発明は、作業管理端末と、前記作業管理端末とネットワークを介して接続された管理コンピュータと、作業計画データ記憶手段とを用いて、工程の進捗を管理するための進捗管理プログラムであって、前記管理コンピュータを、作業拠点、作業者、工程及び工程の順番に関するデータを含む作業計画データを前記作業計画データ記憶手段に記録する第１の手段と、作業拠点、作業者、工程に関するデータを含む作業実績通知を受信して記録する第２の手段と、前記作業実績通知を前記作業計画データと照合し、前記工程の順番に基づいて次工程を特定する第３の手段と、前記次工程に予定されている作業者を特定し、その作業者の作業者端末に作業指示を通知する第４の手段として機能させることを要旨とする。
【００１２】
請求項８に記載の発明は、請求項７に記載の進捗管理プログラムにおいて、前記作業管理端末は、作業現場に設置する端末であって、作業者が有する作業者情報記録媒体からのデータの読み取り手段を備え、前記作業者情報記録媒体は、作業者を特定する作業者識別子及び前記作業者の対応可能工程に関するデータを記録し、前記第２の手段を、前記作業者情報記録媒体から読み取った作業者識別子と、前記作業者情報記録媒体から読み取った対応可能工程に基づいて決定された工程に関するデータと、前記作業管理端末を特定する作業管理端末識別子とを含む作業実績通知を前記作業管理端末からを受信して記録する手段として機能させ、さらに、前記管理コンピュータを、前記作業実績通知に含まれる作業管理端末識別子に基づいて作業拠点を特定する手段として機能させることを要旨とする。
【００１３】
請求項９に記載の発明は、請求項７又は８に記載の進捗管理プログラムにおいて、前記作業計画データは、作業者が所属するグループに関するデータを含み、前記第４の手段を、前記特定された次工程の作業者が所属するグループで使用されるグループ端末に作業指示を通知する手段として機能させることを要旨とする。
【００１４】
請求項１０に記載の発明は、請求項７〜９のいずれか１つに記載の進捗管理プログラムにおいて、前記作業実績通知は、工程終了の通知に関するデータを含み、前記第４の手段を、前工程が終了した場合に、次工程の作業者に作業指示を通知する手段として機能させることを要旨とする。
【００１５】
請求項１１に記載の発明は、請求項７〜１０のいずれか１つに記載の進捗管理プログラ
ムにおいて、前記作業実績通知は、工程の進捗状況に関するデータを含み、前記第４の手段を、前工程の進捗状況に基づいて、次工程の作業者への作業指示の通知を決定する通知決定手段と、前記作業指示の通知決定に基づき、次工程の作業者の作業者端末に作業指示を通知する通知手段として機能させることを要旨とする。
【００１６】
請求項１２に記載の発明は、請求項１１に記載の進捗管理プログラムにおいて、前記作業計画データは、各工程に要する期間に関するデータを含み、前記通知決定手段を、各工程に要する期間と、工程の順番とに基づいて、次工程の作業開始までの期間を算出し、前記算出した作業開始までの期間が、事前通知対象となる所定期間以内の場合、その次工程の作業者への作業指示を通知する手段として機能させることを要旨とする。
【００１７】
（作用）
請求項１又は７に記載の発明によれば、次工程を特定して、特定された次工程の作業者に作業指示を通知できる。従って、複数の工程から構成される作業において、各工程の作業者が、効率的に作業を行うことができる。
【００１８】
請求項２又は８に記載の発明によれば、作業現場に設置する作業管理端末は、作業者が有する作業者情報記録媒体に記録された作業者識別子及び対応可能工程に関するデータを読み取る。そして、作業者識別子と、対応可能工程に基づいて決定された工程に関するデータと、作業管理端末を特定する作業管理識別子に関するデータとを含む作業実績通知を管理コンピュータに送信する。管理コンピュータは、この作業実績通知を受信して、この作業実績通知に含まれる作業者管理識別子に基づいて作業拠点を特定する。このため、作業者が有する作業者情報記録媒体と、この作業者情報記録媒体からデータを読み取る作業管理端末とを用いて、作業指示のためのデータを効率的に取得できる。
【００１９】
請求項３又は９に記載の発明によれば、グループ単位で作業指示を通知できる。従って、作業指示が通知されたグループは、そのグループ内で、自由に作業者に作業を割り振ることが可能となる。
【００２０】
請求項４又は１０に記載の発明によれば、前工程が終了した場合に、次工程の作業者が作業指示を受けて次工程の作業を行うことができる。従って、前工程の作業が終了した場合に、効率的に、次工程の作業を行うことができる。
【００２１】
請求項５又は１１に記載の発明によれば、前工程の作業が終了する前に、前工程の進捗状況に応じて次工程の作業者に作業指示を通知できる。従って、次工程の作業者は、事前に作業指示を受けることができる。
【００２２】
請求項６又は１２に記載の発明によれば、各工程に要する期間と工程の順番とに基づいて、所定期間内に事前通知対象となる次工程について、その次工程の作業者に作業指示を通知できる。従って、次工程の作業者は、所定期間内に、事前に作業指示を受けることができる。
【発明の効果】
【００２３】
本発明によれば、複数の工程から構成される作業において、各工程の作業者が、効率的に作業を行うことができる。
【発明を実施するための最良の形態】
【００２４】
以下、本発明を具体化した一実施形態を図１〜図９に従って説明する。本実施形態では、工事現場における複数の工程から構成される工事の進捗を管理する進捗管理方法及び進捗管理プログラムとして説明する。ここでは、個人住宅の建設の工事現場で、下請会社で
ある工務店にそれぞれ所属する作業者が各工程の作業を行う場合に、進捗状況を管理する場合を想定する。本実施形態では、各工事現場での各作業者の作業開始日時及び作業終了日時を管理するために、ＩＣカードの読み取り／書き込み手段を有する作業管理端末を用いる。この作業管理端末は、作業管理センタが、各ハウスメーカに貸し出す。各ハウスメーカは、この作業管理端末を各工事現場に設置する。
【００２５】
また、個人住宅の建設の場合、複数の下請会社に所属する複数の作業者が関与するが、本実施形態では、各作業者は、それぞれ自分の作業者識別子及び対応可能工程が記録された記録媒体としてのＩＣカードを有している。そして、作業管理端末と各作業者が携帯するＩＣカードとを用いて、作業管理センタの管理システムが、各作業者の作業開始日時及び作業終了日時を管理する。
【００２６】
本実施形態では、図１に示すように、作業管理端末３１が、ネットワーク４０を介して管理システム２０と接続されている。本実施形態では、ネットワーク４０は、無線網（例えば、携帯電話網）を含んで構成され、作業管理端末３１は、無線によりネットワーク４０にデータ送信を行う。
【００２７】
作業管理端末３１は、作業者の出勤時刻（作業開始日時）及び退勤時刻（作業終了日時）や、作業の進捗状況を管理するための端末である。この作業管理端末３１は、作業管理センタが各ハウスメーカに貸し出し、各ハウスメーカが各工事現場に設置して使用する。各ハウスメーカは、連続して工事予定がある場合は、作業管理センタから借りた作業管理端末３１を継続して借り受ける。つまり、各ハウスメーカは、工事終了後、次の工事がある場合、先の工事で使用した作業管理端末３１を次の工事で使用する。
【００２８】
この作業管理端末３１は、図示しないＩＣカードの読み取り／書き込み手段、制御手段（ＣＰＵ）、記憶手段（ＲＡＭ、ＲＯＭ、ハードディスク等）、通信手段、表示手段、入力手段等を備えている。また、この作業管理端末３１は、作業管理可能か否かについての作業管理フラグを記憶手段に記憶している。作業管理端末３１は、作業管理フラグがオンの場合のみ、作業管理のための処理や後述する進捗管理のための処理を実行する。また、作業管理端末３１は、読み取り手段、選択指示手段、作業実績通知手段として機能する。
【００２９】
ＩＣカード３２には、着工カード、工事終了カード、及び、作業者情報記録媒体としての作業者カードがある。着工カードは、着工の際に、作業管理端末３１の設置入力のために用いる。この着工カードには、カード種別として「着工」が記録されている。また、工事終了カードは、工事終了の際に、作業管理端末３１の撤去入力のために用いる。この工事終了カードには、カード種別として「工事終了」が記録されている。一方、作業者カードは、各作業者が携帯し、その作業者についての作業開始入力及び作業終了入力のために用いる。この作業者カードには、カード種別として「作業者」が記録されている。そして、この作業者カードには、作業者識別子及び対応可能工程が予め記憶されており、さらに、作業管理端末識別子、作業開始日時、作業終了日時及び作業を行った工程に関する履歴が記録される。
【００３０】
管理システム２０は、さらに、作業者端末５０及びグループ端末としての工務店端末６０に接続されている。なお、同じ工務店に所属する作業者が、グループを構成する。作業者端末５０は、作業者が使用する端末である。工務店端末６０は、工務店で使用される端末である。作業者端末５０及び工務店端末６０は、電話端末、ファクシミリ装置、パソコン、携帯電話端末等である。作業者は、作業者端末５０を用いて、自分に割り振られた工程の作業についての作業指示を管理システム２０から受ける。また、工務店では、工務店端末６０を用いて、その工務店に所属する作業者に割り振られた工程の作業についての作業指示を管理システム２０から受ける。
【００３１】
管理システム２０は、作業現場での作業の進捗管理を行うコンピュータシステムである。この管理システム２０は、ネットワーク４０を介して作業管理端末３１と通信を行いながら各種処理を実行する。管理システム２０は、図１に示すように管理コンピュータ２１を備えている。
【００３２】
この管理コンピュータ２１は、作業管理端末３１との間でのデータ送受信や、各種情報に関するのデータの管理処理等を行う。この管理コンピュータ２１は、図示しないＣＰＵ、ＲＡＭ、ＲＯＭ等を有し、後述する処理（第１の段階、第２の段階、第３の段階、第４の段階、通知決定段階、通知段階等を含む処理）を行う。そのための進捗管理プログラムを実行することにより、管理コンピュータ２１は、第１の手段、第２の手段、第３の手段、第４の手段、通知決定手段、通知手段等として機能する。
【００３３】
管理コンピュータ２１には、作業計画データ記憶手段としての作業計画データ記憶部２２、作業実績データ記憶部２３、作業者データ記憶部２４及び設置データ記憶部２５が、それぞれ接続されている。
【００３４】
作業計画データ記憶部２２には、図２に示すように、工事識別子及び工程毎に作業計画データ２２０が記録されている。この作業計画データ２２０は、工事が依頼されて、作業計画が立てられた場合に記録される。作業計画データ２２０は、工事識別子によって特定される工事の各工程について、工事識別子、工程識別子、工務店識別子、作業者識別子、予定開始日、作業日数及び前工程に関するデータを含んで構成される。
【００３５】
工事識別子データ領域には、工事を特定するための識別子に関するデータが記録される。
工程識別子データ領域には、その工事における作業を構成する工程を特定するための工程識別子に関するデータが記録される。本実施形態では、工程識別子として工程名が記録される。
【００３６】
工務店識別子データ領域には、その工程の作業を割り振られた作業者が所属する工務店を特定するための識別子に関するデータが記録される。
作業者識別子データ領域には、その工程の作業を割り振られた作業者を特定するための識別子に関するデータが記録される。
【００３７】
予定開始日データ領域には、その工程の作業を開始する予定の日付に関するデータが記録される。
作業日数データ領域には、その工程に要する日数に関するデータが記録される。
【００３８】
前工程データ領域には、その工程の作業が可能となる条件となる、直前の工程の工程識別子に関するデータが記録される。なお、作業可能条件となる直前の工程が複数ある場合は、その複数の工程を特定するためのデータが記録される。
【００３９】
作業実績データ記憶部２３には、図３に示すように、各作業者の工事現場での作業毎に作業実績データ２３０が記録されている。作業実績データ２３０は、作業管理端末識別子、工程識別子、工務店識別子、作業者識別子、進捗状況、作業開始日時及び作業終了日時に関するデータを含んで構成されている。この作業実績データ２３０は、作業管理端末３１から作業実績に関するデータを受信した場合に記録される。作業管理端末識別子、工程、工務店識別子、作業者識別子及び作業開始日時に関するデータは、作業者が工事現場に出勤した際に行う作業開始入力に基づいて設定される。進捗状況及び作業終了日時に関するデータは、作業者が工事現場から退勤する際に行う作業終了入力に基づいて記録される
。
【００４０】
作業管理端末識別子データ領域には、作業者の作業開始入力及び作業終了入力が行われた作業管理端末３１を特定するための識別子に関するデータが記録される。
工程識別子データ領域には、作業を行った工程の工程識別子に関するデータが記録される。本実施形態では、工程識別子として工程名が記録される。
【００４１】
工務店識別子データ領域には、作業を行った作業者が所属する工務店を特定するための識別子に関するデータが記録される。
作業者識別子データ領域には、作業者を特定するための識別子に関するデータが記録される。
【００４２】
進捗状況データ領域には、その工程における進捗状況に関するデータが記録される。本実施形態では、「２５パーセント」、「５０パーセント」、「７５パーセント」、「終了」のうちのいずれかが記録される。
【００４３】
作業開始日時データ領域には、作業者が工事現場に出勤した際に、その作業者のＩＣカード３２に作業管理端末３１が作業開始日時等を書き込んだ日時（年月日及び時刻）に関するデータが記録される。
【００４４】
作業終了日時データ領域には、作業者が工事現場から退勤する際に、その作業者のＩＣカード３２に作業管理端末３１が作業終了日時等を書き込んだ日時（年月日及び時刻）に関するデータが記録される。
【００４５】
作業者データ記憶部２４には、図４に示すように、作業者毎に作業者データ２４０が記録されている。作業者データ２４０は、管理システム２０による作業管理の対象となる作業者として登録された場合に記録される。登録された作業者には、作業者識別子が付与され、ＩＣカード３２が配布される。作業者データ２４０は、工務店識別子、作業者識別子、対応可能工程及び連絡先に関するデータを含んで構成されている。
【００４６】
工務店識別子データ領域には、工務店を特定するための識別子に関するデータが記録される。
作業者識別子データ領域には、作業者を特定するための識別子に関するデータが記録される。
【００４７】
対応可能工程データ領域には、その作業者の職種としての対応可能工程の工程名に関するデータが記録される。
連絡先データ領域には、作業者及びその作業者が所属する工務店への連絡方法及び連絡先に関するデータが記録される。連絡方法としては、電話による音声による情報提供、ファクシミリによる文書による情報提供、携帯電話への音声による情報提供、携帯電話への電子メールによる情報提供、パソコンへの電子メールによる情報提供等がある。これらの連絡方法のうち、いずれの方法により、連絡を受けるかを、作業者及び工務店が予め選択し、選択された方法と、電話番号、ファクシミリ番号、電子メールアドレス等の連絡先に関するデータがこの連絡先データ領域に記録される。
【００４８】
設置データ記憶部２５には、図５に示すように、工事毎に設置データ２５０が記録されている。本実施形態では、設置データ２５０は、工事識別子、ハウスメーカ識別子、設置場所、設置予定時期、撤去予定時期、作業管理端末識別子、設置時期及び撤去時期に関するデータを含んで構成されている。工事識別子、ハウスメーカ識別子、設置場所、設置予定時期及び撤去予定時期に関するデータは、工事予定が決定された場合に記録される。作
業管理端末識別子に関するデータは、設置する予定の作業管理端末３１が特定された場合に記録される。設置時期に関するデータは、作業管理端末３１が設置された場合に記録される。撤去時期に関するデータは、作業管理端末３１が撤去された場合に記録される。
【００４９】
工事識別子データ領域には、工事を特定するための識別子に関するデータが記録される。
ハウスメーカ識別子領域には、この工事を担当するハウスメーカを特定するための識別子に関するデータが記録される。
【００５０】
設置場所データ領域には、作業管理端末３１を設置する工事現場の住所に関するデータが記録される。
設置予定時期データ領域には、工事現場に作業管理端末３１を設置する予定の日付に関するデータが記録される。
【００５１】
撤去予定時期データ領域には、工事現場から作業管理端末３１を撤去する予定の日付に関するデータが記録される。
作業管理端末識別子データ領域には、工事現場に設置する作業管理端末３１を特定するための識別子に関するデータが記録される。
【００５２】
設置時期データ領域には、作業管理端末３１が設置された時期（年月日及び時刻）が記録される。
撤去時期データ領域には、作業管理端末３１が撤去された時期（年月日及び時刻）が記録される。
【００５３】
上記のように構成されたシステムを用いて、工事現場における複数の工程から構成される工事の進捗を管理する場合の処理手順を、図６〜図９を用いて説明する。ここでは、作業計画作成処理（図６）と、作業管理端末設置処理（図７）と、作業開始処理（図８）と、作業終了処理（図９）と、作業管理端末撤去処理に分けて説明する。
【００５４】
（作業計画作成処理）
まず、作業計画を作成する場合の処理手順を図６に従って説明する。
工事を受注したハウスメーカの担当者は、まず、その担当者の端末から、大日程を入力する。その担当者の端末は、入力された大日程に関するデータを管理システム２０に送信する。この大日程に関するデータを受信した管理システム２０の管理コンピュータ２１は、この大日程に関するデータを一時的に記録する（ステップＳ１−１）。
【００５５】
次に、管理コンピュータ２１は、基本工程の算出を行う（ステップＳ１−２）。本実施形態では、基本工程の算出は、ネットワーク工程表を用いて行う。具体的には、管理コンピュータ２１は、大日程と、その工事を構成する工程の順序と、各工程に要する日数とに基づいて、各工程の基本予定開始日を算出する。管理コンピュータ２１は、この基本予定開始日に関するデータを一時的に記録する。
【００５６】
次に、管理コンピュータ２１は、各工程について余裕日数を算出する（ステップＳ１−３）。例えば、雨天の場合に作業を行えない工程について、多くの余裕日数を設けるようにする。具体的には、管理コンピュータ２１は、まず、雨天の場合に作業を行えない工程を特定する。なお、雨天の場合に作業が行えない工程については、予め、余裕日数データ記録部（図示せず）に記録されている。次に、管理コンピュータ２１は、特定された雨天の場合に作業を行えない工程について、基本予定開始日を抽出する。そして、管理コンピュータ２１は、過去の所定の年数（例えば、過去１０年間）の基本予定開始日の付近の日（例えば、前後各１０日間）の天気に関するデータを取得する。そして、管理コンピュー
タ２１は、その期間の雨天となる確率を算出し、その確率に基づいて余裕日数を算出する。例えば、雨天となる確率が高い季節の場合、余裕日数は長くなる。
【００５７】
そして、管理コンピュータ２１は、算出した余裕日数に基づいて基本工程を調整した予定工程を算出する（ステップＳ１−４）。具体的には、管理コンピュータ２１は、まず、余裕日数が設けられた工程については、気象条件等による延期がなかった場合に各工程に要する日数に余裕日数を加算して予定日数を算出する。そして、基本予定開始日と、予定日数と、その工事を構成する工程の順序とに基づいて、予定終了日を求める。
【００５８】
なお、ステップＳ１−３及びステップＳ１−４の処理は、前の工程から順番に行い、求められた予定終了日に基づいて、次の工程の基本予定開始日を移動し、次の工程については、移動された基本予定開始日に基づいて余裕日数を求める。このようにして、全工程について、予定開始日を求める。
【００５９】
次に、管理コンピュータ２１は、各工程に作業者を割り振る（ステップＳ１−５）。具体的には、管理コンピュータ２１は、まず、作業者データ２４０と作業計画データ２２０とに基づいて、各工程に対応可能で、予定開始日から予定終了日までの間に作業が割り振られていない作業者を特定する。そして、特定された作業者の中から作業を割り振る作業者を特定する。
【００６０】
そして、管理コンピュータ２１は、作業計画データ２２０を作業計画データ記憶部２２に記録する（ステップＳ１−６）。ここで、工事識別子として、工事を特定するための識別子を記録する。工程として、工程名を記録する。工務店識別子として、作業を割り振られた作業者が所属する工務店の工務店識別子を記録する。作業者識別子として、作業を割り振られた作業者の作業者識別子を記録する。予定開始日として、その工程について算出された予定開始日を記録する。作業日数として、気象条件等による延期がなかった場合に、その工程に要する日数を記録する。前工程として、その工程の開始条件となる直前の工程を記録する。以上により、作業計画作成処理を終了する。
【００６１】
（作業管理端末設置処理）
次に、工事現場に作業管理端末３１を設置する場合の処理手順を図７に従って説明する。工事を受注したハウスメーカの担当者は、作業管理センタから借りた作業管理端末３１を使用して作業管理を行うために、設置予定を管理システム２０に通知する。具体的には、その担当者が使用するパソコン等の端末（図示せず）を用いて管理システム２０にアクセスし、ウェブページ（設置予定入力画面）上でハウスメーカ識別子、設置場所、設置予定時期及び撤去予定時期の入力を行う。なお、ハウスメーカが作業管理センタから既に借りている作業管理端末３１を使用する場合、その工事で使用する作業管理端末３１の作業管理端末識別子の入力を行う。
【００６２】
担当者の端末は、入力されたハウスメーカ識別子、設置場所、設置予定時期、及び撤去予定時期を含むデータを管理システム２０に送信する。さらに、作業管理端末識別子が入力された場合には、その作業管理端末識別子に関するデータについても含めて管理システム２０に送信する。これを受信した管理システム２０の管理コンピュータ２１は、このハウスメーカ識別子、設置場所、設置予定時期及び撤去予定時期を含むデータを設定した設置データ２５０を設置データ記憶部２５に記憶する（ステップＳ２−１）。そして、作業管理端末識別子を併せて受信した場合には、管理コンピュータ２１は、その作業管理端末識別子を設置データ記憶部２５に記憶する（ステップＳ２−２）。
【００６３】
なお、ハウスメーカの担当者が設置予定入力画面において作業管理端末識別子を入力しなかった場合は、設置データ２５０に作業管理端末識別子が設定されていないことになる
。この場合、作業管理センタの担当者は、管理コンピュータ２１に接続された端末（図示せず）から、新たに貸し出す作業管理端末３１の作業管理端末識別子を入力する。管理コンピュータ２１は、その作業管理端末識別子を設置データ記憶部２５に記憶する。そして、作業管理センタは、ハウスメーカに、その作業管理端末識別子の作業管理端末３１を新たに貸し出す。
【００６４】
着工する場合、ハウスメーカは、作業管理端末３１の設置担当の作業者に、作業管理センタから借りた作業管理端末３１を工事現場に設置させる。なお、本実施形態では、作業管理端末３１は携帯電話網を介して管理システム２０と接続する。このため、作業管理端末３１を設置する際には、配線工事を必要とせず、作業管理端末３１の電源を入れることにより、管理システム２０と通信可能となる。そして、この作業者は、着工を示す特定のＩＣカード３２（着工カード）を作業管理端末３１のＩＣカードの読み取り／書き込み手段にて読み取らせる。作業管理端末３１は、このＩＣカード３２に記憶されたカード種別の「着工」を読み込む（ステップＳ２−３）。これにより、設置入力が行われる。そして、作業管理端末３１は、表示手段に「着工」を表示する。そして、作業管理端末３１は、作業管理端末３１の作業管理端末識別子を有する設置通知を管理システム２０に送信する（ステップＳ２−４）。
【００６５】
管理システム２０の管理コンピュータ２１は、受信した作業管理端末識別子に基づいて、設置データ記憶部２５を検索する。そして、管理コンピュータ２１は、設置時期及び撤去時期が設定されていない設置データ２５０のうち、設置予定時期が最も早い時期の設置データ２５０を特定する（ステップＳ２−５）。そして、管理コンピュータ２１は、作業管理端末３１から設置通知を受信した時期（設置通知受信時期）と設置予定時期とを比較する（ステップＳ２−６）。設置通知受信時期が設置予定時期以降である場合（ステップＳ２−６でＹＥＳの場合）、管理コンピュータ２１は、設置通知受信時期を設置時期として作業管理端末識別子により特定した設置データ２５０に設定する（ステップＳ２−７）。そして、管理コンピュータ２１は、作業管理開始通知を作業管理端末３１に送信する（ステップＳ２−８）。作業管理端末３１は、作業管理フラグをオンにする（ステップＳ２−９）。これにより、作業管理端末３１による作業管理が可能となる。
【００６６】
なお、設置通知受信時期が設置予定時期より前である場合（ステップＳ２−６でＮＯの場合）、管理コンピュータ２１は、作業管理端末３１にエラー通知を行う（ステップＳ２−１０）。この場合、ハウスメーカが直ちに着工することを希望するのであれば、ハウスメーカの担当者は、作業管理センタに電話して、作業管理端末３１の設置予定時期を当日に変更するよう要請する。この場合、作業管理センタの担当者が管理コンピュータ２１に接続された端末から設置予定時期を変更するための入力を行う。そして、設置データ記憶部２５の設置予定時期が変更された後、再度、着工カードを作業管理端末３１に読み込ませることにより、ステップＳ２−３〜Ｓ２−９の処理が実行され、作業管理端末３１による作業管理が可能となる。以上により、作業管理端末設置処理を終了する。
【００６７】
（作業開始処理）
次に、作業開始日時及び作業終了日時を記録する処理の手順を説明する。なお、作業管理端末３１は、この作業開始日時及び作業終了日時の取得に関する処理を、作業管理フラグがオン（作業管理可能）の場合のみ実行する。まず、作業開始の際の処理手順を図８に従って説明する。
【００６８】
作業者が工事現場で作業を開始する場合、作業者は、その作業者のＩＣカード３２（作業者カード）を作業管理端末３１の読み取り／書き込み手段にて読み取らせる。作業管理端末３１は、そのＩＣカード３２に記憶された情報を読み込む（ステップＳ３−１）。作業管理端末３１は、ＩＣカード３２から読み込んだカード種別を確認し、それが「作業実
績」である場合、以下の処理を行う。
【００６９】
まず、作業管理端末３１は、作業開始選択処理を行う（ステップＳ３−２）。具体的には、ＩＣカード３２から読み込んだ最新の作業実績に作業終了日時が記録されている場合は、作業管理端末３１は、作業開始を選択する。
【００７０】
この場合、作業管理端末３１は、まず、工程の選択要求を行う（ステップＳ３−３）。具体的には、作業管理端末３１は、ＩＣカード３２から読み込んだ対応可能工程に関するデータに基づいて、対応可能工程を作業管理端末３１の表示手段に表示する。本実施形態では、作業管理端末３１の表示手段は、タッチパネルとして機能する。
【００７１】
そして、作業管理端末３１は、工程選択処理を行う（ステップＳ３−４）。具体的には、まず、作業者が、作業管理端末３１の表示手段に表示された工程のうち、これから作業を行う工程を選択入力する。作業管理端末３１は、この工程に関する選択入力を受け入れる。そして、作業管理端末３１は、作業管理端末識別子、作業開始日時、及び、選択された工程の工程識別子に関するデータを作業者のＩＣカード３２（作業者カード）に記録する（ステップＳ３−５）。
【００７２】
さらに、作業管理端末３１は、作業管理端末識別子、作業者識別子、工程識別子及び作業開始日時に関するデータを含む作業実績通知を管理システム２０に送信する（ステップＳ３−６）。
【００７３】
作業実績通知を受信した管理システム２０の管理コンピュータ２１は、受信した作業実績通知に基づいて作業実績データ２３０を作業実績データ記憶部２３に記録する（ステップＳ３−７）。具体的には、管理コンピュータ２１は、作業実績データ２３０の作業管理端末識別子、工程識別子、作業者識別子、作業開始日時として、受信した作業実績通知の作業管理端末識別子、工程識別子、作業者識別子、作業開始日時を記録する。また、工務店識別子として、作業者識別子に基づいて作業者データ記憶部２４から抽出した工務店識別子を記録する。
【００７４】
次に、管理コンピュータ２１は、受信した作業実績通知の工程に関するデータに基づいて、作業計画データ記憶部２２を検索する（ステップＳ３−８）。そして、管理コンピュータ２１は、検索された作業計画データ２２０の作業日数を抽出し、受信した作業実績通知の工程が１日以内の作業かどうかを調べる（ステップＳ３−９）。
【００７５】
そして、受信した作業実績通知の工程が１日以内の作業の場合（ステップＳ３−９でＹＥＳの場合）、継続する工程の作業が可能かどうかを調べる（ステップＳ３−１０）。具体的には、管理コンピュータ２１は、まず、受信した作業実績通知の工程に基づいて作業計画データ２２０の前工程に関するデータを検索することにより、継続する工程の作業計画データ２２０を抽出する。そして、この作業計画データ２２０の前工程に関するデータに、その工程の他に前工程が記録されているかどうかを調べる。そして、その工程の他に前工程が記録されていない場合、継続する工程の作業が可能であるとする。
【００７６】
一方、その工程の他に前工程が記録されている場合、記録されている他の前工程についての作業実績データ２３０を検索する。そして、記録されている他の前工程についての作業実績データ２３０で進捗状況が「終了」のものが存在する場合、他の前工程が終了しているため継続する工程の作業が可能であるとする。
【００７７】
他の前工程の作業実績データ２３０で進捗状況が「終了」のものが存在せず、他の前工程の作業実績データ２３０で作業終了日時が記録されていないものが存在する場合、他の
前工程についての作業計画データ２２０を抽出する。そして、この作業計画データ２２０の作業日数を調べる。そして、この作業日数が１日以内の場合、継続する工程の作業が可能であるとする。
【００７８】
そして、継続する工程の作業が可能な場合、管理コンピュータ２１は、継続する工程の作業者に本日中に、作業が可能となることを通知する（ステップＳ３−１１）。具体的には、管理コンピュータ２１は、継続する工程の作業計画データ２２０の作業者識別子に基づいて作業者データ記憶部２４を検索し、連絡先に関するデータを抽出する。そして、その連絡先に関するデータに基づいて、継続する工程の作業者の作業者端末５０、及び、継続する工程の作業者が所属する工務店の工務店端末６０に通知を行う。具体的には、連絡先に関するデータに基づいて、電話、ファクシミリ、携帯電話、パソコン等を用いて、それぞれ選択されている手段により通知を行う。
【００７９】
例えば、電話又は携帯電話を用いた音声による通知が選択されている場合、管理システム２０は、工事識別子及び工程に関する情報を含む定型文による音声を生成し、電話又は携帯電話を用いて音声により通知する。また、ファクシミリによる通知が選択されている場合、管理システム２０は、工事識別子及び工程に関する情報を含む定型文に関するデータを自動生成し、ファクシミリ装置に送信する。また、携帯電話機、パソコン等を用いた電子メールによる通知が選択されている場合には、電子メールを工事識別子及び工程に関する情報を含む定型文を記載した電子メールを生成し、携帯電話機、パソコン等に送信する。この場合、電子メールにより管理システム２０にアクセスすることを促し、ホームページ上で、詳細な情報を提供してもよい。以上により、作業開始処理を終了する。
【００８０】
（作業終了処理）
次に、作業終了の際の処理手順を図９に従って説明する。本実施形態では、工程が終了した場合に、継続する工程の作業者に通知する。さらに、所定日数（例えば、５日）以内に作業可能となる工程の作業者に予告通知を行う。
【００８１】
作業者が工事現場での作業を終了した場合、その作業者のＩＣカード３２（作業者カード）を作業管理端末３１の読み取り／書き込み手段にて読み取らせる。作業管理端末３１は、そのＩＣカード３２に記憶された情報を読み込む（ステップＳ４−１）。作業管理端末３１は、ＩＣカード３２から読み込んだカード種別を確認し、カード種別が「作業者」である場合、以下の処理を行う。
【００８２】
まず、作業管理端末３１は、作業終了選択処理を行う（ステップＳ４−２）。具体的には、ＩＣカード３２から読み込んだ最新の作業実績に作業終了日時が記録されていない場合は、作業管理端末３１は、作業終了を選択する。
【００８３】
この場合、作業管理端末３１は、ＩＣカード３２から読み込んだ、作業中の工程に関するデータに基づいて、工程を作業管理端末３１の表示手段に表示する（ステップＳ４−３）。本実施形態では、作業管理端末３１の表示手段は、タッチパネルとして機能する。
【００８４】
さらに、作業管理端末３１は、進捗状況選択処理を行う（ステップＳ４−４）。具体的には、作業管理端末３１は、まず、工程を表示している表示手段に、進捗状況として、「２５パーセント」、「５０パーセント」、「７５パーセント」、「終了」を表示する。作業者は、その工程の作業が終了した場合には、「終了」を選択入力する。一方、途中である場合は、作業の進捗状況を選択入力する。作業管理端末３１は、この進捗状況に関する選択入力を受け入れる。
【００８５】
そして、作業管理端末３１は、作業終了日時に関するデータを作業者のＩＣカード３２
（作業者カード）に記録する（ステップＳ４−５）。
なお、１日に複数の工程の作業をした場合、作業者は、作業を行った全部の工程について、進捗状況の入力を行う。具体的には、作業管理端末３１は、作業報告を継続するかどうかについて選択入力を促す表示を、表示手段に表示する。ここで、作業者が、作業報告を継続することを選択入力すると、作業管理端末３１は、作業管理端末３１から読み込んだ対応可能工程に関するデータに基づいて、工程の選択入力を促す画面を表示する。そして、工程が選択されると、進捗状況の選択入力を促す画面を表示する。このようにして、作業管理端末３１は、作業報告の終了が選択されるまで、作業を行った各工程の進捗状況の選択処理を行う。
【００８６】
そして、作業管理端末３１は、作業管理端末識別子、作業者識別子、工程識別子、作業開始日時、作業終了日時及び進捗状況に関するデータを含む作業実績通知を管理システム２０に送信する（ステップＳ４−６）。なお、複数の工程について作業を行った場合については、本実施形態では、作業開始日時及び作業終了日時については、最初の工程について両方を設定し、その他の工程については作業終了日時のみ設定する。
【００８７】
この作業実績通知を受信した管理システム２０の管理コンピュータ２１は、受信した作業者識別子、作業管理端末識別子及び作業開始日時に基づいて作業実績データ２３０を特定する。そして、管理コンピュータ２１は、その作業実績データ２３０に、受信した作業終了日時及び進捗状況を設定する（ステップＳ４−７）。なお、複数の工程について作業を行った場合については、最初の工程について、上記のようにして、作業終了日時及び進捗状況を特定した作業実績データ２３０に設定する。そして、その他の工程については、新たに作業実績データ２３０を記録する。
【００８８】
次に、管理コンピュータ２１は、受信した作業実績通知に基づいて記録した作業実績データ２３０について、工程が終了しているかどうかを調べる。工程が終了している場合（ステップＳ４−８でＹＥＳの場合）、管理コンピュータ２１は、継続する工程の作業が可能かどうかを調べる（ステップＳ４−９）。具体的には、管理コンピュータ２１は、まず、受信した作業実績通知の工程に基づいて作業計画データ２２０の前工程に関するデータを検索することにより、継続する工程の作業計画データ２２０を抽出する。そして、この作業計画データ２２０の前工程に関するデータに、その工程の他に前工程が記録されているかどうかを調べる。そして、その工程の他に前工程が記録されていない場合、継続する工程の作業が可能であるとする。
【００８９】
一方、その工程の他に前工程が記録されている場合、記録されている他の前工程についての作業実績データ２３０を検索する。そして、記録されている他の前工程についての作業実績データ２３０で進捗状況が「終了」のものが存在する場合、他の前工程が終了しているため継続する工程の作業が可能であるとする。
【００９０】
そして、継続する工程の作業が可能である場合、管理コンピュータ２１は、継続する工程の作業者に、その工程についての作業指示を通知する（ステップＳ４−１０）。具体的には、管理コンピュータ２１は、継続する工程の作業計画データ２２０の作業者識別子に基づいて作業者データ記憶部２４を検索し、連絡先に関するデータを抽出する。そして、その連絡先に関するデータに基づいて、継続する工程の作業者の作業者端末５０、及び、その作業者が所属する工務店の工務店端末６０に通知を行う。具体的には、連絡先に関するデータに基づいて、電話、ファクシミリ、携帯電話、パソコン等を用いて、それぞれ選択されている手段により通知を行う。
【００９１】
なお、工程が終了していない場合（ステップＳ４−８でＮＯの場合）や、継続する工程の作業が可能でない場合（ステップＳ４−９でＮＯの場合）には、継続する工程の作業者
への作業指示を行わない。
【００９２】
次に、管理コンピュータ２１は、事前通知が必要な次工程を検索する（ステップＳ４−１１）。なお、次工程とは、特定の工程（ここでは、作業実績通知の工程識別子により特定される工程）より後の工程をいう。具体的には、管理コンピュータ２１は、まず、受信した作業実績通知に基づいて記録した作業実績データ２３０について、工程の進捗状況を抽出する。そして、作業管理端末識別子に基づいて設置データ２５０から工事識別子を抽出し、その工事識別子と工程識別子とに基づいて作業計画データ２２０から作業日数を抽出する。そして、抽出した進捗状況と作業日数とに基づいて、その工程の終了までの日数を算出する。そして、算出された日数が所定日数（例えば、５日）を超えているかどうかを調べる。
【００９３】
ここで、算出された日数が前記所定日数以内の場合、管理コンピュータ２１は、その工程の次工程を特定し、その工程の作業日数を抽出する。具体的には、受信した作業実績通知に基づいて記録した作業実績データ２３０の工程識別子を前工程の工程識別子として作業計画データ２２０を検索する。そして、特定された作業計画データ２２０の作業日数を抽出する。そして、その作業日数と、先に算出した作業実績データ２３０による工程の終了までの日数との合計を算出する。そして、算出された日数が前記所定日数を超えているかどうかを調べる。
【００９４】
このようにして、前記所定日数を超えるまで、次工程の検索と、その工程終了までの予定日数の算出とを繰り返す。そして、直前の工程が終了するまでの予定日数が前記所定日数以内である工程を、事前通知が必要な次工程として抽出する。
【００９５】
そして、事前通知が必要な次工程が存在する場合（ステップＳ４−１２でＹＥＳの場合）、管理コンピュータ２１は、次工程の作業者に事前通知を行う（ステップＳ４−１３）。具体的には、管理コンピュータ２１は、まず、事前通知が必要な次工程として抽出された工程についての作業計画データ２２０を抽出する。そして、この作業計画データ２２０の作業者識別子に基づいて作業者データ記憶部２４を検索し、連絡先に関するデータを抽出する。そして、その連絡先に関するデータに基づいて、事前通知が必要な次工程の作業者の作業者端末５０、及び、その作業者が所属する工務店の工務店端末６０に通知を行う。具体的には、連絡先に関するデータに基づいて、電話、ファクシミリ、携帯電話、パソコン等を用いて、それぞれ選択されている手段により通知を行う。この場合、その工程の直前の工程が終了するまでの予定日数についての通知も、この作業指示に含める。
【００９６】
なお、事前通知が必要な次工程が存在しない場合（ステップＳ４−１２でＮＯの場合）、管理コンピュータ２１は、次工程の作業者への事前通知を行わない。以上により、作業終了処理を終了する。
【００９７】
（作業管理端末撤去処理）
次に、工事現場から作業管理端末３１を撤去する場合の処理手順を説明する。
工事が終了した場合、作業管理端末３１を撤去する前に、作業者は、工事終了を示す特定のＩＣカード３２（工事終了カード）を作業管理端末３１の読み取り／書き込み手段にて読み取らせる。作業管理端末３１は、この工事終了カードにカード種別として記憶された「工事終了」を読み込む。そして、作業管理端末３１は、その作業管理端末３１の作業管理端末識別子を有する撤去通知を管理システム２０に送信する。
【００９８】
管理システム２０の管理コンピュータ２１は、受信した撤去通知の作業管理端末識別子により設置データ記憶部２５を検索し、設置時期が設定されていて撤去時期が設定されていない設置データ２５０を特定する。そして、管理コンピュータ２１は、作業管理端末３
１から撤去通知を受信した時期を撤去時期としてその設置データ２５０に設定する。一方、作業管理端末３１は、作業管理フラグをオフにする。これにより、作業管理端末３１による作業管理が不能となり、作業管理端末３１の表示手段に「作業管理不能」と表示される。工事現場の作業者は、その表示を確認した後、作業管理端末３１を撤去する。
【００９９】
以上、本実施形態によれば、以下に示す効果を得ることができる。
・  上記実施形態では、管理コンピュータ２１は、工事識別子、工務店識別子、作業者識別子、工程識別子、前工程に関するデータを含む作業計画データ２２０を作業計画データ記憶部２２に記録する。そして、作業管理端末識別子、作業者識別子、工程識別子に関するデータを含む作業実績通知を受信する。そして、作業計画データ２２０の前工程に関するデータに基づく工程の順番と、作業実績通知の工程識別子とに基づいて、その工事現場における次工程を特定し、その次工程に予定されている作業者に作業指示を通知する。このため、次工程の作業者に作業指示を通知できる。従って、複数の工程から構成される作業において、各工程の作業者が、効率的に作業を行うことができる。
【０１００】
・  上記実施形態では、作業実績通知は、工程終了の通知に関するデータを含み、管理コンピュータ２１は、前工程が終了した場合に、次工程の作業者に作業指示を通知する。このため、前工程が終了した場合に、次工程の作業者が作業指示を受けて次工程の作業を行うことができる。従って、前工程の作業が終了した場合に、効率的に、次工程の作業を行うことができる。
【０１０１】
・  上記実施形態では、管理コンピュータ２１は、前工程の進捗状況に基づいて、次工程の作業者への作業指示を通知するかどうかを決定し、作業指示を通知すると決定した場合に、次工程の作業者に作業指示を通知する。このため、前工程の進捗状況に応じて次工程の作業者に作業指示を事前通知できる。従って、次工程の作業者は、事前に作業指示を受けることができる。
【０１０２】
・  上記実施形態では、管理コンピュータ２１は、各工程についての必要な日数と、工程の順番とに基づいて、次工程の作業開始までの日数を算出する。そして、算出した作業開始までの日数が事前通知対象となる所定日数以内の場合、その次工程の作業者への作業指示を通知する。このため、前工程についての必要な日数と工程の順番とに基づいて、所定日数以内に事前通知対象となる次工程について、その次工程の作業者に作業指示を通知できる。従って、次工程の作業者は、所定日数以内に、事前に作業指示を受けることができる。
【０１０３】
・  上記実施形態では、工程の作業開始時に、１日以内の作業の場合で、継続する工程の作業が可能な場合、その時点で、継続する工程の作業を指示した。このため、１日以内の作業が開始された場合であって、その工程の作業が終了すれば次の工程の作業ができる場合、その工程の作業が開始された時点で、作業指示を通知できる。従って、継続する工程の作業を、効率的に行うことが可能となる。
【０１０４】
・  上記実施形態では、作業者の作業終了時に、工程が終了している場合、継続する工程の作業者に作業指示を通知した。このため、継続する工程の作業者は、下見に行かなくても、前工程の作業が終了したことを知ることができる。従って、継続する工程の作業者が、効率的に作業を行うことが可能となる。
【０１０５】
・  上記実施形態では、管理コンピュータ２１は、作業現場に設置する作業管理端末３１からの、作業管理端末識別子と作業者が有するＩＣカード３２に記録された作業者識別子等とを含む作業実績通知を受信する。そして、作業管理端末識別子に基づいて、工事識別子により識別される作業拠点を特定する。このため、作業現場に設置する作業管理端末
３１から受信した作業実績通知に基づいて、作業拠点を特定できる。
【０１０６】
・  上記実施形態では、管理コンピュータ２１は、作業者識別子を含む作業実績通知に基づいて、その作業者識別子によって特定される作業者が所属する工務店を特定する。そして、作業者と工務店とに作業指示を行う。このため、工務店単位で、作業指示を行うことができる。従って、作業指示が通知された工務店は、その工務店内で、自由に作業者に作業を割り振ることが可能となる。
【０１０７】
・  上記実施形態では、作業管理端末３１は、ＩＣカード３２から、作業者識別子、対応可能工程に関するデータを読み取り、複数の対応可能工程に関するデータを読み取った場合には、それらの中から工程の選択を促す。そして、作業管理端末識別子、作業者識別子、選択された工程に関する作業実績データを管理コンピュータ２１に送信する。このため、複数の対応可能工程を有する作業者について、どの工程の作業を行ったかを特定して、管理コンピュータ２１に通知できる。
【０１０８】
なお、上記実施形態は、以下の態様に変更してもよい。
○  上記実施形態では、作業開始の作業実績通知を受信した際に、すぐに継続する工程について作業可能となる場合、継続する工程について作業指示を通知した。また、作業終了の作業実績通知を受信した際に、継続する工程について作業指示を通知した。さらに、作業終了の作業実績通知を受信した際に、次工程の作業開始までの日数を算出し、算出された日数が所定日数以内の場合、事前通知を行った。
【０１０９】
これに代えて、これらの作業指示に関する通知を全部行うのでなく、これらのうちいずれかのみを行ってもよい。また、これらのうちのいずれかを組み合わせてもよい。
また、上記実施形態では、作業終了の作業実績通知の受信時に、次工程の作業開始までの日数を算出し、算出された日数が所定日数以内の場合、事前通知を行ったが、事前通知は、作業開始の作業実績通知の受信時に行ってもよい。この場合、作業開始の作業実績通知を受信した場合に、事項邸の作業開始までの日数を算出し、算出された日数が所定日数以内の場合、事前通知を行う。これにより、実際に作業が開始されたことを確認してから事前通知を行うことができる。従って、前工程の作業が終了した後に、それに継続する作業がなかなか行われなかった場合に、より信頼性の高い情報を提供できる。
【０１１０】
○  上記実施形態では、所定期間内に作業が予定される場合に事前通知の対象とし、事前通知の対象となった場合に事前通知を行った。事前通知は、一度行った場合は、再度行わないようにしてもよい。例えば、事前通知を行った場合、事前通知フラグを作業計画データ記憶部２２に記録する。そして、事前通知の対象となった場合、事前通知フラグの設定の有無を調べ、事前通知フラグが設定されている場合には、事前通知を行わないようにする。これにより、作業者は、何度も事前通知を受けることにより煩わされることがなくなる。
【０１１１】
○  上記実施形態では、作業者の作業開始時に選択入力された工程に関するデータをＩＣカード３２に記録し、作業者の作業終了時に、その工程に関するデータをＩＣカード３２から読み出して表示した。これに代えて、ＩＣカード３２には、作業を行う工程に関するデータは記録せず、作業終了時には、管理システム２０から工程に関するデータを受信して表示してもよい。これにより、工程を選択入力した後、ＩＣカード３２に工程に関するデータを書き込む必要がなくなり、作業開始時には、工程の選択処理が終了するまで、ＩＣカード３２の読み取り及び書き込みをできるようにしておく必要がなくなる。
【０１１２】
○  上記実施形態では、作業者識別子等を記録する作業者情報記録媒体としてＩＣカード３２を用いたが、作業者情報記録媒体として他の記録媒体を用いてもよい。例えば、Ｉ
Ｃカード３２と同様の機能を備えた携帯電話機を作業者情報記録媒体として用い、作業管理端末３１が、携帯電話機に記録されたデータの読み取りや、携帯電話機へのデータの書き込みを行ってもよい。このようにすることで、携帯電話機を有している場合には、作業者は、別途ＩＣカード３２を携帯する必要がなくなる。
【０１１３】
○  上記実施形態では、作業管理端末３１が、作業者のＩＣカード３２を用いて、作業実績通知を管理システム２０に送信した。これに代えて、他の端末を作業管理端末として用いて、作業実績通知を管理システム２０に送信してもよい。例えば、作業管理端末として作業者が携帯する携帯電話機を用いて、作業実績通知を管理システム２０に送信してもよい。この場合、ＧＰＳ等による携帯電話機に備えた位置情報取得手段により取得した位置情報を用いて作業拠点を特定してもよい。
【０１１４】
○  上記実施形態では、前工程の進捗が遅れている場合について特別な対応は行わなかったが、前工程の進捗が遅れている場合に、進捗の遅れを取り戻すための特別の対応を行ってもよい。例えば、前工程の進捗が所定の日数以上遅れている場合に、その工事における次工程について、作業計画を立て直してもよい。この場合、次工程のうち、割り振る作業者の人数を多くすることにより作業日数を減らすことができる工程を特定する。そして、その工程について作業者を多く割り振った場合について、作業計画を立て直す。
【０１１５】
そして、その工事において、進捗の遅れを取り戻すまでの期間における次工程について、作業者との契約をキャンセルし、新たに作業者を募集する。そして、応募された中から作業者を選択し、その作業者に作業指示を通知する。この場合、募集情報を通知は、作業者データ２４０の対応可能工程や、作業計画データ２２０による作業者の作業予定に基づいて選択した作業者に対して行ってもよい。
【０１１６】
これにより、後の工事の作業計画に影響を与えないようにして、進捗の遅れが生じている工事について、進捗の遅れを取り戻すことができる。
なお、新たな作業計画において作業日数を減らした工程についてのみ、その工程に割り振られている作業者との契約をキャンセルし、新たに作業者を募集してもよい。このようにすることで、作業日数が変更されない工程については、その工程に割り振られている作業者との契約をキャンセルせずに、その作業者に作業指示を行うことができる。
【０１１７】
○  上記実施形態では、個人住宅の建設を行う工事現場で工程の進捗管理を行う場合に本発明を具体化したが、これに限られるものではない。例えば、より大規模な建造物の建設を行う工事現場や大規模土木工事現場で工程の進捗管理を行う場合について、本発明を具体化してもよい。
【図面の簡単な説明】
【０１１８】
【図１】本発明の一実施形態のシステム概略図。
【図２】作業計画データ記憶部に記憶されたデータの説明図。
【図３】作業実績データ記憶部に記憶されたデータの説明図。
【図４】作業者データ記憶部に記憶されたデータの説明図。
【図５】設置データ記憶部に記憶されたデータの説明図。
【図６】本発明の一実施形態の処理手順の説明図。
【図７】本発明の一実施形態の処理手順の説明図。
【図８】本発明の一実施形態の処理手順の説明図。
【図９】本発明の一実施形態の処理手順の説明図。
【符号の説明】
【０１１９】
２１…管理コンピュータ、２２…作業計画データ記憶手段としての作業計画データ記憶
部、３１…作業管理端末、３２…作業者情報記録媒体としてのＩＣカード、４０…ネットワーク。
【図１】
2005267523.tif 000003
【図２】
2005267523.tif 000004
【図３】
2005267523.tif 000005
【図４】
2005267523.tif 000006
【図５】
2005267523.tif 000007
【図６】
2005267523.tif 000008
【図７】
2005267523.tif 000009
【図８】
2005267523.tif 000010
【図９】
2005267523.tif 000011